(57)【要約】【課題】製品の小型化、薄型化を実現できる光ピックアップ及び光ディスク装置並びに光学部品の位置調節方法を提供する。【解決手段】光学部品１５の外周面１５２を円筒面で形成し、この外周面１５２に設けた摩擦部１５３を介して、これに摩擦係合する操作治具４０を光軸１５ａと直角な方向に移動操作することにより、光学部品１５をホルダ３０の支持部３０２上で光軸１５ａを中心とする円周方向に位置調節する。また、操作治具４０を摩擦部１５３に摩擦係合したまま回転操作することにより、光学部品１５をホルダ３０の支持部３０２上で光軸１５ａの方向に位置調節する。【選択図】図４
2009157997.tif 000002
【特許請求の範囲】
【請求項１】
光ディスクに対し記録および／または再生用の光ビームを光学系を介して照射し、前記光ディスクで反射された反射光ビームを前記光学系を介して検出する光ピックアップであって、
ホルダと、
前記光学系の一部を構成する光学部品とを備え、
前記光学部品は、該光学部品の光軸を中心とする円筒面で形成された外周面を有し、
前記光学部品の外周面の箇所に、前記光学部品を前記光軸方向及び前記光軸を中心とする円周方向に移動させるための摩擦部が設けられ、
前記ホルダは、前記摩擦部が設けられた箇所以外の前記外周面箇所に当接し前記光学部品を前記光軸方向に移動可能に支持するとともに前記光軸を中心とする円周方向に回転可能に支持する支持部を有し、
前記摩擦部を介して前記支持部上で前記光軸方向及び前記光軸を中心とする円周方向の少なくとも一方に位置調節された前記光学部品を前記ホルダに固定する固定機構が設けられている、
ことを特徴とする光ピックアップ。
【請求項２】
前記光学部品は回折格子もしくはマルチレンズであることを特徴とする請求項１記載の光ピックアップ。
【請求項３】
前記支持部は、前記外周面に下方から当接する一対の傾斜面からなり、前記一対の傾斜面は下端から上端に行くに従い両傾斜面間の間隔が次第に拡がるように構成されていることを特徴とする請求項１記載の光ピックアップ。
【請求項４】
前記摩擦部は、面粗さが５０μｍ〜１００μｍ程度のシボもしくは５０μｍ程度のピッチで前記外周面の円周方向に所定の角度範囲に亘り形成した溝から構成されていることを特徴とする請求項１記載の光ピックアップ。
【請求項５】
前記固定機構は、前記光学部品の外周面を前記ホルダの支持部に当て付ける押さえばねであることを特徴とする請求項１記載の光ピックアップ。
【請求項６】
前記固定機構は、前記光学部品を前記ホルダに接着する接着剤であることを特徴とする請求項１記載の光ピックアップ。
【請求項７】
光ディスクに対し光学系を介して記録および／または再生用の光ビームを照射し、前記光ディスクで反射された反射光ビームを光学系を介して検出する光ピックアップとを有する光ディスク装置であって、
前記光ピックアップは、
ホルダと、
前記光学系の一部を構成する光学部品とを備え、
前記光学部品は、該光学部品の光軸を中心とする円筒面で形成された外周面を有し、
前記光学部品の外周面の箇所に、前記光学部品を前記光軸方向及び前記光軸を中心とする円周方向に移動させるための摩擦部が設けられ、
前記ホルダは、前記摩擦部が設けられた箇所以外の前記外周面箇所に当接し前記光学部品を前記光軸方向に移動可能に支持するとともに前記光軸を中心とする円周方向に回転可能に支持する支持部を有し、
前記摩擦部を介して前記支持部上で前記光軸方向及び前記光軸を中心とする円周方向の少なくとも一方に位置調節された前記光学部品を前記ホルダに固定する固定機構が設けられている、
ことを特徴とする光ディスク装置。
【請求項８】
光ピックアップの光学系の一部を構成する光学部品を該光学部品の光軸方向及び光軸を中心とする円周方向の少なくとも一方に位置を調節する光学部品の位置調節方法であって、
前記光学部品の外周面の箇所に、前記光学部品を前記光軸方向及び前記光軸を中心とする円周方向に移動させるための摩擦部を設け、
前記摩擦部が設けられた箇所以外の前記外周面箇所に当接し前記光学部品を前記光軸方向に移動可能に支持するとともに前記光軸を中心とする円周方向に回転可能に支持する支持部を有するホルダを設け、
前記摩擦部に摩擦係合される操作治具を設け、
前記光学部品を前記ホルダの前記支持部で支持し、前記操作治具を前記摩擦部に押し当てて前記光学部品を前記光軸方向に移動することにより前記光学部品を前記光軸方向に位置調節し、もしくは前記光学部品を前記光軸を中心とする円周方向に回転することにより前記光学部品を前記円周方向に位置調節する、
ことを特徴とする光学部品の位置調節方法。
【請求項９】
前記操作治具の前記摩擦部と摩擦係合される摩擦係合部は円柱状もしくは矩形板状を呈し、前記摩擦係合部の表面はニトリルゴム、ウレタンゴム、ブチルゴム等の摩擦材によりコーティングされていることを特徴とする請求項８記載の光学部品の位置調節方法。
【請求項１０】
前記摩擦部は、面粗さが５０μｍ〜１００μｍ程度のシボもしくは５０μｍ程度のピッチで前記外周面の円周方向に所定の角度範囲に亘り形成した溝から構成されていることを特徴とする請求項８記載の光学部品の位置調節方法。
【発明の詳細な説明】
【技術分野】
【０００１】
本発明は、光ディスクに信号の記録や再生を行う光ピックアップ及びそのような光ピックアップを有する光ディスク装置並びに光ピックアップの光学系の一部を構成する光学部品の光軸方向の位置及び光軸を中心とする円周方向の位置を調節する光学部品の位置調節方法に関する。
【背景技術】
【０００２】
ＤＶＤ（Ｄｉｇｉｔａｌ  Ｖｅｒｓａｔｉｌｅ  Ｄｉｓｋ）などの光ディスクに対して光ビームを照射することにより信号の記録あるいは再生あるいは記録および再生を行う光ピックアップがある。
この種の光ピックアップは、光源から出射された光ビームが通過する種々の光学部品（回折格子やマルチレンズなど）と、それら光学部品を保持するホルダとを含んで構成されている（特許文献１、２参照）。
【０００３】
従来における光学部品のホルダへの取り付け構造について図９〜図１１を参照して説明する。
光学部品１の外周面１ａは、図９及び図１０に示すように、光学部品１の光軸２を中心とする円筒面で形成され、外周面１ａには、光学部品１を回転調節するための所定深さの操作用穴１ｂが形成されている。
また、光学部品１のホルダ３は、図１１に示すように、操作用穴１ｂを除く外周面１ａに光学部品１の下方から当接して光学部品１を光軸３の方向及び光軸２を中心とする円周方向に可動可能に支持する当て付け面３ａを備えている。
このような光学部品１のホルダ３の組み付けは次のようになされる。
すなわち、操作用穴１ｂが上方を向くようにして光学部品１をホルダ３の当て付け面３ａ上にセットし、ホルダ３２に取り付けた押さえばね４を外周面１ａに上方から押し当てることで光学部品１の外周面１ａを当て付け面３ａに当て付ける。
【０００４】
この状態で、ピン状の調節治具５の一端を操作用穴１ｂに係合し、この調節治具５を図１１の矢印Ａ方向に操作することにより光学部品１を光軸２の周りに回転させ、光学部品１の光軸２を中心とする円周方向の位置を調節する。この場合の光学部品１は回折格子であり、この回折格子にて分割された３つの光ビームが光ディスクの信号トラックに対して最適な位置となるように調節される。
また、調節治具５を図１１の矢印Ｂ方向に操作することにより光学部品１を光軸２の方向に移動させ、光学部品１の光軸方向の位置を調節する。この場合の光学部品１はマルチレンズであり、光ディスクからの反射光ビームの焦点が光検出器に合うように調節される。
光学部品１の位置調節が終了したならば、光学部品１をホルダ３に接着剤により固定する。これにより、光学部品１のホルダ３への組み付けが完了する。
【特許文献１】特開平３−１７４１０８
【特許文献２】特開平５−２０５３０３
【発明の開示】
【発明が解決しようとする課題】
【０００５】
ところで、光学部品１の位置調節が終了した後、操作用穴１ｂに係合した調節治具５を操作用穴１ｂから引き抜く時、この調節治具５が操作用穴１ｂに擦れると光学部品１が動いてしまい、折角調節された光学部品の位置がずれてしまうという問題がある。
また、光学部品１の外周面１ａに操作用穴１ｂを設ける必要があるため、図１０に示すように、本来光学部材１に必要十分な厚さｔ１に、操作用穴１ｂの深さに相当する厚さｔ２分を加えた厚さの光学部材が必要になる。その結果、光学部品の外径を含む外形形状が大きくなってしまう。このことは、製品、すなわち光学ピックアップの小型化、薄型化ができないという問題がある。
本発明はこのような事情に鑑みなされたもので、その目的は、製品の小型化、薄型化を実現できる光ピックアップ及び光ディスク装置並びに光学部品の位置調節方法を提供することにある。
【課題を解決するための手段】
【０００６】
上記目的を達成するために本発明は、光ディスクに対し記録および／または再生用の光ビームを光学系を介して照射し、前記光ディスクで反射された反射光ビームを前記光学系を介して検出する光ピックアップであって、ホルダと、前記光学系の一部を構成する光学部品とを備え、前記光学部品は、該光学部品の光軸を中心とする円筒面で形成された外周面を有し、前記光学部品の外周面の箇所に、前記光学部品を前記光軸方向及び前記光軸を中心とする円周方向に移動させるための摩擦部が設けられ、前記ホルダは、前記摩擦部が設けられた箇所以外の前記外周面箇所に当接し前記光学部品を前記光軸方向に移動可能に支持するとともに前記光軸を中心とする円周方向に回転可能に支持する支持部を有し、前記摩擦部を介して前記支持部上で前記光軸方向及び前記光軸を中心とする円周方向の少なくとも一方に位置調節された前記光学部品を前記ホルダに固定する固定機構が設けられていることを特徴とする。
【０００７】
また本発明は、光ディスクに対し光学系を介して記録および／または再生用の光ビームを照射し、前記光ディスクで反射された反射光ビームを光学系を介して検出する光ピックアップとを有する光ディスク装置であって、前記光ピックアップは、ホルダと、前記光学系の一部を構成する光学部品とを備え、前記光学部品は、該光学部品の光軸を中心とする円筒面で形成された外周面を有し、前記光学部品の外周面の箇所に、前記光学部品を前記光軸方向及び前記光軸を中心とする円周方向に移動させるための摩擦部が設けられ、前記ホルダは、前記摩擦部が設けられた箇所以外の前記外周面箇所に当接し前記光学部品を前記光軸方向に移動可能に支持するとともに前記光軸を中心とする円周方向に回転可能に支持する支持部を有し、前記摩擦部を介して前記支持部上で前記光軸方向及び前記光軸を中心とする円周方向の少なくとも一方に位置調節された前記光学部品を前記ホルダに固定する固定機構が設けられていることを特徴とする。
【０００８】
また本発明は、光ピックアップの光学系の一部を構成する光学部品を該光学部品の光軸方向及び光軸を中心とする円周方向の少なくとも一方に位置を調節する光学部品の位置調節方法であって、前記光学部品の外周面の箇所に、前記光学部品を前記光軸方向及び前記光軸を中心とする円周方向に移動させるための摩擦部を設け、前記摩擦部が設けられた箇所以外の前記外周面箇所に当接し前記光学部品を前記光軸方向に移動可能に支持するとともに前記光軸を中心とする円周方向に回転可能に支持する支持部を有するホルダを設け、前記摩擦部に摩擦係合される操作治具を設け、前記光学部品を前記ホルダの前記支持部で支持し、前記操作治具を前記摩擦部に押し当てて前記光学部品を前記光軸方向に移動することにより前記光学部品を前記光軸方向に位置調節し、もしくは前記光学部品を前記光軸を中心とする円周方向に回転することにより前記光学部品を前記円周方向に位置調節することを特徴とする。
【発明の効果】
【０００９】
本発明によれば、光学部品の外周面に設けた摩擦部を介して光学部品をホルダの支持部上で光軸方向及び光軸を中心とする円周方向の少なくとも一方に位置調節するようにしたので、光学部品の位置ずれをなくし得るとともに製品の小型化、薄型化を実現できる。
【発明を実施するための最良の形態】
【００１０】
（第１の実施の形態）
次に本発明の実施の形態について図面を参照して説明する。
まず、本発明の光ピックアップ１０が組み込まれる光ディスク装置１００について説明する。
図１は、第１の実施の形態の光ピックアップ１０を組み込んだ光ディスク装置１００の構成を示すブロック図である。
光ディスク装置１００は、光ディスク１０１に対して光ピックアップ１０により再生用の光ビームを照射し、光ディスク１０１から反射された光ビームを光検出素子（フォトディテクタ）１１で検出することによりデータを再生し、または、光ディスク１０１に対して光ピックアップ１０により記録用の光ビームを照射することでデータを記録するものである。
光ディスク装置１００は、スピンドルモータ１０２と、本発明の光ピックアップ１０と、ドライバ１０４と、ドライバ制御部１０６と、アンプ１０８と、信号処理部１１０と、制御部１１２と、入出力部１１４と、Ｄ／Ａコンバータ１１６と、記録制御回路１１８とを含んで構成されている。
【００１１】
光ピックアップ１０はスライダ１２０に組み付けられ、スライダ駆動部１２２によりスライダ１２０は、光ディスク１０１の半径方向に往復直線移動される。
スピンドルモータ１０２は、光ディスク１０１を回転駆動する駆動手段を構成するものである。
光ピックアップ１０は、光ディスク１０１に対して光ビームを照射してデータの読み書きを行うものであり、光ビームを照射するレーザーダイオード（光源）１２を有している。
ドライバ１０４は、スピンドルモータ１０２の駆動、スライダ駆動部１２２の駆動、光ピックアップ１０の移動を行うものである。
ドライバ制御部１０６は、ドライバ１０４を制御するものである。
アンプ１０８は、光ピックアップ１０内の光検出素子１１から出力される各種の信号に基づいてフォーカスエラー信号、トラッキングエラー信号、ＲＦ信号などを生成するものである。
信号処理部１１０は、アンプ１０８からの出力信号に基づく復調および誤り訂正処理などの所定の処理を行うものである。
制御部１１２は、ドライバ制御部１０６にフォーカスエラー信号、トラッキングエラー信号を出力してサーボを全体的にコントロールするものである。
入出力部１１４は、装置の操作情報などを入力するとともに、装置の動作状態を表示するものである。
Ｄ／Ａコンバータ１１６は、信号処理部１１０および制御部１１２からの信号をＤ／Ａ変換して入出力部１１４に入力するものである。
記録制御回路１１８は、光ディスク１０１に記録された信号を再生信号として受け取るとともに、データを信号処理部１１０により変調して光ピックアップ１０内の光源（レーザーダイオード）１２を駆動してドライバ制御部１０６にサーボ情報を出力するものである。
光ピックアップ１０は、光学系２と、後述するホルダ３０と、押さえばね３２とを含んで構成されている。
【００１２】
図２は第１の実施の形態の光ピックアップ１０の光学系２の構成を示す図である。
光ピックアップ１０は、光ディスク１０１に対し記録および／または再生用の光ビームを光学系２を介して照射し、光ディスク１０１で反射された反射光ビームを光学系２を介して検出するものである。
光学系２は、第１、第２の光源１２Ａ、１２Ｂ、第１、第２の光学部品１３、１５、第１、第２のビームスプリッタ１６、１７、フロントパワーモニタ用受光素子１８、マルチレンズ２０、受光素子１１、ミラー２２、コリメータレンズ２４、１／４波長板２６、対物レンズ２８などを含んで構成され、これらの部品は、ホルダ３０に組み付けられている。
第１、第２の光源１２Ａ、１２Ｂは、前記の光源１２を構成するものである。
第１の光源１２Ａは、ＣＤの記録および／または再生に対応した波長とパワーを有する光ビームを出射するレーザーダイオードで構成されている。
第２の光源１２Ｂは、ＤＶＤの記録および／または再生に対応した波長とパワーを有する光ビームを出射するレーザーダイオードで構成されている。
２つの光学部品１３、１５は、回折格子が形成されたグレーティングで構成されている。
これら光学部品１３、１５は、第１、第２の光源１２Ａ、１２Ｂから出射された光ビームが前記回折格子を通過することによって回折され、１つのメインビームと２つのサブビームの３つの光ビームに分離されるものである。
本実施の形態では、ＤＶＤ用の光源１２Ｂからの光ビームを分離する第２の光学部品１５に本発明が適用されている。
第１のビームスプリッタ１６は、第１、第２の光学部品１３、１５から出射された光ビームをそれぞれ第２のビームスプリッタ１７に導くものである。
第２のビームスプリッタ１７は、第１のビームスプリッタ１６から導かれた光ビームの一部をフロントパワーモニタ用受光素子１８に導くとともに、前記光ビームの残りをミラー２２を介してコリメータレンズ２４、１／４波長板２６、対物レンズ２８を介して光ディスク１０１に導くものである。
また、第２のビームスプリッタ１７は、光ディスク１０１で反射され対物レンズ２８、１／４波長板２６、コリメータレンズ２４、ミラー２２を介して導かれた反射光ビームをマルチレンズ２０により受光素子１１に導き、反射光ビームの焦点を受光素子１１上に合わせるものである。
【００１３】
したがって、第１の光源１２Ａまたは第２の光源１２Ｂの一方から光ビームが出射されると、その光ビームは、光学部品１３、あるいは、光学部品１５によって３つのビームに分離され、第１、第２のビームスプリッタ１６、１７、ミラー２２を介してコリメータレンズ２４で平行光とされ、１／４波長板２６によって偏光が変換され、対物レンズ２８によって集束されて光ディスク１０１に照射される。
光ディスク１０１で反射された反射光ビームは、対物レンズ２８、１／４波長板２６、コリメータレンズ２４、ミラー２２、第２のビームスプリッタ１７、マルチレンズ２０を介して受光素子１１で受光され、受光信号が生成される。
また、第２のビームスプリッタ１７を通過した光ビームはフロントパワーモニタ用受光素子１８によって検出され、第１の光源１２Ａまたは第２の光源１２Ｂの出力パワーのモニタに供される。
【００１４】
次に、本発明の実施の形態における光学部品１５の構造及びその取り付け構造について図面を参照して説明する。
図３は第１の実施の形態の光学部品１５の斜視図、図４は第１の実施の形態の光学部品１５がホルダ３０に組み付けられた状態を示す要部の斜視図、図５は第１の実施の形態の光学部品１５の支持部３０２の詳細を示す説明図である。
光学部品１５は、図３に示すように、回折格子部１５１と、この回折格子部１５１の周囲を取り巻くように形成された円筒状の外周面１５２を有する。この外周面１５２は光学部品１５の光軸１５ａを中心とする円筒面で形成されている。また、外周面１５２には、光学部品１５自体を光軸１５ａの方向及び光軸１５ａを中心とする円周方向に移動させるための摩擦部１５３が設けられている。
光学部品１５の成形材料には合成樹脂あるいはガラスなど従来公知のさまざまな材料が採用可能である。
ホルダ３０は、図４に示すように、光学部品１５を収容する収容部３０１と、光学部品１５を収容部３０１に支持する支持部３０２を有する。収容部３０１内の支持部３０２上に支持された光学部品１５は押さえばね３２によりホルダ３０に組みつけられる。
押さえばね３２は、ホルダ３０に固定される基部３２１と、この基部３２１から収容部３０１に向けて延在し、かつ収容部３０１に収容された光学部品１５の外周面１５２に上方から押圧される平行な一対の押圧片３２２とを含んで構成される。
【００１５】
支持部３０２は、光学部品１５の外周面１５２に下方から当接し光学部品１５を光軸１５ａの方向に移動可能に支持するとともに光軸１５ａを中心とする円周方向に回転可能に支持するもので、収容部３０１の底部箇所に設けられている。そして、この支持部３０２は、図５に示すように、外周面１５２に下方から当接する一対の傾斜面３０２ａ、３０２ｂからなり、この一対の傾斜面３０２ａ、３０２ｂは下端から上端に行くに従い両傾斜面３０２ａ、３０２ｂ間の間隔が次第に拡がるように構成されている。すなわち、傾斜面３０２ａ、３０２ｂの傾斜角度は４５°である。
光学部品１５の摩擦部１５３は、支持部３０２が当接する以外の外周面１５２の箇所、すなわち支持部３０２の位置から円周方向に１８０°程度の角度離間した箇所に設けられる。これは、光学部品１５を収容部３０１内の支持部３０２上にセットして時に摩擦部１５３が収容部３０１から上方に向け露出されるようにするためである。
摩擦部１５３は外周面１５２よりも面粗さが大きく形成された箇所であり、摩擦部１５３の面粗さは、外周面１５２の面粗さ１．６μｍ〜３．２μｍより大きい値、例えば５０μｍ〜１００μｍの面粗さを有するシボから構成されている。
そして、この摩擦部１５３の光軸１５ａを中心とする円周方向の長さＬ１は、光学部品１５を光軸１５ａを中心とする円周方向に位置調節するのに必要な所定の角度、例えば図５に示すように、外周面１５２の円周方向に±２０°（＝４０°）程度の角度範囲に亘り形成されている。さらに、摩擦部１５３の幅ｗ１は、光学部品１５を光軸方向に位置調節するのに必要な幅を有すればよく、例えば１．５ｍｍ程度である。
【００１６】
操作治具４０は、図４に示すように、摩擦部１５３を介して光学部品１５を光軸１５ａの方向に移動操作し、かつ光軸１５ａを中心とする円周方向に回転操作するためのもので、摩擦部１５３に摩擦係合される所定長さの円柱状の摩擦係合部４０１と、この摩擦係合部４０１の一端に軸線を一致させて一体に結合した把持ロッド４０２とを備える。
摩擦係合部４０１の表面はニトリルゴム、ウレタンゴム、ブチルゴム等の摩擦材によりコーティングされている。
【００１７】
光学部品１５のホルダ３０への組み付けは次のようになされる。
図４に示すように、まず、摩擦部１５３が収容部３０１から上方に向け露出されるようにして光学部品１５を収容部３０１に挿入し、その外周面１５２をホルダ３０における支持部３０２の傾斜面３０２ａ、３０２ｂ上にセットする。
そして、ホルダ３０に取り付けた押さえばね３２の押圧片３２２を摩擦部１５３の幅方向に両サイドに位置する外周面１５２の箇所に上方から押し当てることで光学部品１５の外周面１５２を傾斜面３０２ａ、３０２ｂに当て付ける。
この状態で、操作治具４０を光学部品１５に対し光軸１５ａと直角な姿勢にして、その摩擦係合部４０１を一対の押圧片３２２の間に臨む摩擦部１５３に上方から押し当て、摩擦係合部４０１を摩擦部１５３に摩擦係合させる。
かかる状態で、操作治具４０を図４の矢印Ｃ１方向に移動操作すると、摩擦部１５３を介して摩擦係合された光学部品１５は傾斜面３０２ａ、３０２ｂと摺接しながら光軸１５ａを中心にして図４の矢印Ｄ１方向に回転される。これに伴い、回折格子部１５１によって分離された３つの光ビームが受光素子１１に対して正確に受光されるように光学部品１５の光軸１５ａを中心とする円周方向の位置調節を行う。
また、操作治具４０を図４の矢印Ｃ２方向に回転操作すると、摩擦部１５３を介して摩擦係合された光学部品１５は傾斜面３０２ａ、３０２ｂ上を光軸１５ａの方向に移動される。これにより、光学部品１５の光軸方向の位置が調節される。
光学部品１５の位置調節が終了したならば、光学部品１５とホルダ３０との間に形成される隙間に接着剤を注入することで光学部品１５をホルダ３０に固定する。これにより、光学部品１５のホルダ３０への組み付けが完了する。
なお、本実施の形態における光学部品１５の光軸１５ａに沿った外周面１５２の幅Ｗが外周面１５２の直径Ｄの１倍以上であれば、光学部品１５は倒れることなくホルダ３０に保持される。
【００１８】
このような実施の形態によれば、以下に述べる作用効果が得られる。
ａ）光学部品１５の外周面１５２に設けた摩擦部１５３を介して、これに摩擦係合する操作治具４０を光軸１５ａと直角な方向に移動操作し、または操作治具４０を摩擦部１５３に摩擦係合したまま回転操作することにより光学部品１５をホルダ３０の支持部３０２上で光軸１５ａを中心とする円周方向または光軸１５ａの方向に位置調節するようにしたので、従来のようなピン穴が不要になり、このピン穴の深さ寸法に相当する分、光学部品１５の外径を縮小することが可能になり、製品である光ピックアップの小型化、薄型化を実現できる。
ｂ）操作治具４０と光学部品１５の摩擦部１５３とは摩擦係合されるものであるため、光学部品１５や押さえばね３２と干渉することがなく操作治具４０を光学部品１５から離間することができる。これに伴い、光学部品１５に位置ずれが生じるなどの悪影響をなくすことができるとともに、従来における押さえばねの間隔Ｓが２ｍｍであるのに対して、本実施の形態における押さえばね３２の押圧片３２２間の間隔ｓは１．２ｍｍ以下となり、その間隔ｓを従来の場合より狭くできる。その結果、押圧片３２２間の間隔ｓを狭くできた分、光学部品１５自体の光軸１５ａに沿った外周面１５２の幅Ｗを減少することができ、光学部品１５の薄型化が可能になる。これにより、光ピックアップの小型化、薄型化を更に促進でき、押さえばね３２の設計の自由度を向上できる。
ｃ）光学部品１５をその外周面１５２に設けた摩擦部１５３を介して位置調整可能にすることにより、押圧片３２２の幅ｄを従来のものより大きくできる。これに伴い、光学部品１５に対する押さえばね３２の押し付け力が増大し、位置調整後の光学部品１５のずれを低減できるとともに、経時変化や温度変化に強い光ピックアップを提供でき、押さえばね３２の設計の自由度を拡大できる。
ｄ）光学部品１５の外周面１５２を操作治具４０で上方から押圧することにより外周面１５２をホルダ３０の支持部３０２に押し付けながら光学部品１５の位置調節を行うように構成されているため、光学部品１５の位置調節後も上記押圧状態を維持した状態で、光学部品１５とホルダ３０との間に形成される隙間に接着剤を注入すれば、接着剤だけで光学部品１５をホルダ３０に固定することができる。これにより、押さえばね３２を省略できる。
ｅ）従来例に示すピン穴が不要になることにより、光学部品１５を樹脂成形する際の金型の構造が簡単になり、光学部品の低コスト化が可能になる。
【００１９】
（第２の実施の形態）
次に本発明の第２の実施の形態について図６を参照して説明する。
図６は、上記第１の実施の形態と異なる構造の操作治具を用いて光学部品を位置調節する場合の本発明の第２の実施の形態を示す要部の斜視図である。
第２の実施の形態において、図４と同一の構成要素には同一符号を付してその説明を省略し、図４と異なる部分を重点に述べる。
図６からの明らかなように、図４と異なるところは光学部品を位置調節する操作治具５０にある。
この操作治具５０は、図６に示すように、摩擦部１５３を介して光学部品１５を光軸１５ａの方向に移動操作し、かつ光軸１５ａを中心とする円周方向に回転操作するためのもので、摩擦部１５３に摩擦係合される所定長さの矩形板状の摩擦係合部５０１と、この摩擦係合部４０１の一端に一直線状に結合した把持ロッド５０２とを備える。
摩擦係合部５０１の表面はニトリルゴム、ウレタンゴム、ブチルゴム等の摩擦材によりコーティングされている。
【００２０】
次に操作治具５０を用いて光学部品１５をホルダ３０に組み付ける場合について説明する。
図４に示す場合と同様に光学部品１５を収容部３０１に挿入し、その外周面１５２を押さえばね３２によりホルダ３０２の傾斜面３０２ａ、３０２ｂに当て付ける。
この状態で、操作治具５０を光学部品１５に対し光軸１５ａと直角な姿勢にして、その摩擦係合部５０１を一対の押圧片３２２の間に臨む摩擦部１５３に上方から押し当て、摩擦係合部４０１を摩擦部１５３に摩擦係合させる。
かかる状態で、操作治具５０を図６の矢印Ｃ３方向に移動操作すると、摩擦部１５３を介して摩擦係合された光学部品１５は傾斜面３０２ａ、３０２ｂと摺接しながら光軸１５ａを中心にして図６の矢印Ｄ３方向に回転される。これに伴い、回折格子部１５１によって分離された３つの光ビームが受光素子１１に対して正確に受光されるように光学部品１５の光軸１５ａを中心とする円周方向の位置調節を行う。
また、操作治具４０を図６の矢印Ｃ４方向に移動操作すると、摩擦部１５３を介して摩擦係合された光学部品１５は傾斜面３０２ａ、３０２ｂ上を光軸１５ａの方向に移動される。これにより、光学部品１５の光軸方向の位置が調節される。
光学部品１５の位置調節が終了したならば、光学部品１５とホルダ３０との間に形成される隙間に接着剤を注入することで光学部品１５をホルダ３０に固定する。これにより、光学部品１５のホルダ３０への組み付けが完了する。
【００２１】
上記のような第２の実施の形態によれば、光学部品１５のホルダ３０への組み付けに矩形板状の操作治具５０が使用される点が第１の実施の形態と異なるものの、第１の実施の形態に示すａ）〜ｅ）と同様の効果を発揮することができる。
【００２２】
（第３の実施の形態）
次に光学部品の第３の実施の形態について図面を参照して説明する。
図７は第３の実施の形態における光学部品の斜視図である。
図７に示す光学部品１５において、図３と同一の構成要素には同一符号を付してその説明を省略し、図３と異なる部分を重点に述べる。
第３の実施の形態に示す光学部品１５において図３と異なるところは、光学部品１５の外周面１５２に形成された摩擦部１５５にある。すなわち、摩擦部１５５は、図７に示すように、光軸１５ａの方向に延在する溝１５５ａを５０μｍ程度のピッチで外周面１５２の円周方向に所定の角度範囲に亘り形成することで構成される。この場合の摩擦部１５５の円周方向の長さＬ１、及び幅ｗ１は、図３に示す場合と同様である。
このような摩擦部１５５を有する光学部品１５においても、摩擦部１５５の形状が異なるものの、図３に示す光学部品と同様な作用効果が得られる。
【００２３】
次に押さえばね３２の変形例について図８を参照して説明する。
この図８に示す押さえばね３２は、図４に示す場合と同様に、平行する一対の押圧片３２２を有する二又形状をなしており、そして、一対の押圧片３２２の先端間は連結片３２３に連結されている。
このような押さえばね３２の一対の押圧片３２２と連結片３２３とで囲まれた領域と対向する光学部品１５の外周面１５２の箇所には、シボ構造の摩擦部１５３が形成されており、この摩擦部１５３には、図４に示す操作治具４０の円柱状摩擦係合部４０１が押圧される。この場合、摩擦係合部４０１の摩擦部１５３への摩擦係合箇所は一定であるため、図８に示す形状の押さえばね３２においても、図４に示す操作治具４０を適用することができる。すなわち、押さえばねの設計の自由度を拡大することができる。
また、図８に示す押さえばね３２を用いた構成において、図６に示す操作治具５０を適用してもよく、その場合には、光学部品１５の摩擦部１５３に図６に示す操作治具５０の摩擦係合部５０１が押圧される。
【００２４】
なお、本実施の形態では、光学部品１５としてグレーティングを用いた場合について説明したが、本発明はこれに限らず、マルチレンズやフィルタなど従来公知のさまざまな光学部品に適用できることは勿論である。
【図面の簡単な説明】
【００２５】
【図１】本発明の第１の実施の形態における光ピックアップを組み込んだ光ディスク装置の構成を示すブロック図である。
【図２】本発明の第１の実施の形態における光ピックアップの光学系の構成を示す説明図である。
【図３】本発明の第１の実施の形態における光学部品１５を示す斜視図である。
【図４】本発明の第１の実施の形態における光学部品１５をホルダ３０に組み付けた状態を示す要部の斜視図である。
【図５】本発明の第１の実施の形態における光学部品１５の支持部３０２の詳細を示す説明図である。
【図６】本発明の第２の実施の形態における光学部品１５の斜視図である。
【図７】本発明の第３の実施の形態における光学部品１５の斜視図である。
【図８】本発明にかかる光学部品１５の変形例を示す説明図である。
【図９】従来における光学部品の斜視図である。
【図１０】従来における光学部品の縦断側面図である。
【図１１】従来における光学部品をホルダに組み付けた状態を示す要部の斜視図である。
【符号の説明】
【００２６】
２……光学系、１０……光ピックアップ、１５……光学部品、１５１……外周面、１５２、１５５……摩擦面、３０……ホルダ、３０１……収容部、３０２……支持部、３０２ａ、３０２ｂ……傾斜面、３２……押さえばね、４０……操作治具、５０……操作治具、１００……ディスク装置、１０１……光ディスク。
【図１】
2009157997.tif 000003
【図２】
2009157997.tif 000004
【図３】
2009157997.tif 000005
【図４】
2009157997.tif 000006
【図５】
2009157997.tif 000007
【図６】
2009157997.tif 000008
【図７】
2009157997.tif 000009
【図８】
2009157997.tif 000010
【図９】
2009157997.tif 000011
【図１０】
2009157997.tif 000012
【図１１】
2009157997.tif 000013